(57)【特許請求の範囲】
【請求項１】
ＣＲＴに接続され、所定の信号入力に基づいてＲＧＢ信号を同ＣＲＴに出力するＲＧＢ信号出力手段と、選局動作中に受信周波数が所望の放送局に対応する周波数に一致するまでの間、所定の映像信号にＯＳＤ信号を重畳させて同ＲＧＢ信号出力手段に出力するＯＳＤ信号重畳手段とを有するクロマＩＣと、上記クロマＩＣに接続され、上記ＲＧＢ信号に基づいて上記ＣＲＴに選局動作中に映し出される乱れた映像をブランキングして画面ミュートを実行するためのＯＳＤ信号を生成するＯＳＤ信号生成手段を有するマイコンとを備えた画面ミュート装置を具備するテレビジョンにおいて、
上記マイコンは、上記画面ミュートを実行させる旨のファストブランキング信号を上記ＯＳＤ信号重畳手段に出力して上記ＯＳＤ信号生成手段にて生成されたＯＳＤ信号を上記映像信号に重畳させるとき、上記ＲＧＢ信号出力手段にＲＧＢ出力のカットオフレベルを通常値よりも下げさせる旨のカットオフ制御信号を出力する出力レベル制御手段を備え、
上記ＲＧＢ信号出力手段は、上記カットオフ制御信号が入力されるとき、上記ＲＧＢ信号出力手段から上記ＣＲＴに出力するＲＧＢ信号の直流レベルを通常値よりも下げ、ミュート画面におけるホワイトバランスのばらつきを軽減させることを特徴とするテレビジョン。
【請求項２】
映像出力機器に接続され、所定の信号入力に基づいてＲＧＢ信号を映像出力機器に出力するＲＧＢ信号出力手段と、同映像出力機器に乱れた映像が映し出される間、所定の映像信号にＯＳＤ信号を重畳させて同ＲＧＢ信号出力手段に出力するＯＳＤ信号重畳手段とを有するクロマＩＣと、上記クロマＩＣに接続され、上記ＲＧＢ信号に基づいて上記映像出力機器の画面に映し出される乱れた映像をブランキングして画面ミュートを実行するためのＯＳＤ信号を生成するＯＳＤ信号生成手段を有するマイコンとを備える画面ミュート装置において、
上記マイコンは、上記ＯＳＤ信号重畳手段が上記ＯＳＤ信号生成手段にて生成されたＯＳＤ信号を上記映像信号に重畳させて上記ＲＧＢ信号出力手段に出力するとき、同ＲＧＢ信号出力手段から上記映像出力機器に出力されるＲＧＢ信号の出力レベルを通常値より下げさせる出力レベル制御手段を備えることを特徴とする画面ミュート装置。
【請求項３】
上記出力レベル制御手段は、上記ＲＧＢ信号出力手段にＲＧＢ出力のカットオフレベルを通常値より下げさせる旨のカットオフ制御信号を出力し、同ＲＧＢ信号出力手段は、同カットオフ制御信号が入力されるとき、上記ＲＧＢ信号の出力レベルを下げることを特徴とする上記請求項２に記載の画面ミュート装置。
【請求項４】
上記出力レベル制御手段は、上記ＲＧＢ信号出力手段にＲＧＢ出力の輝度レベルを通常値より下げさせる旨の輝度レベル制御信号を出力し、同ＲＧＢ信号出力手段は、同輝度レベル制御信号が入力されるとき、上記ＲＧＢ信号の出力レベルを下げることを特徴とする上記請求項２または請求項３のいずれかに記載の画面ミュート装置。
【請求項５】
上記マイコンは、上記画面ミュートを実行させる旨のファストブランキング信号を上記ＯＳＤ信号重畳手段に出力し、同ＯＳＤ信号重畳手段は、同ファストブランキング信号が入力されるとき、上記ＯＳＤ信号生成手段にて生成されたＯＳＤ信号を上記映像信号に重畳させることを特徴とする上記請求項２〜請求項４のいずれかに記載の画面ミュート装置。
【請求項６】
平常時、クロマＩＣにて所定の映像信号に基づくＲＧＢ信号を映像出力機器に出力することにより、同映像出力機器の画面に同映像信号に対応する映像を出力させ、同映像出力機器に乱れた映像が映し出される間に実行される画面ミュート時、同クロマＩＣに接続されたマイコンにて同映像出力機器に映し出される乱れた映像をブランキングするためのＯＳＤ信号を生成し、同クロマＩＣにて同ＯＳＤ信号を同映像信号に重畳させ、このＯＳＤ信号が重畳された映像信号に基づくＲＧＢ信号を同映像出力機器に出力する画面ミュート方法において、上記マイコンは、上記画面ミュート時、上記映像出力機器に出力されるＲＧＢ信号の出力レベルを通常値よりも下げさせることを特徴とする画面ミュート方法。
【発明の詳細な説明】
【０００１】
【発明の属する技術分野】
本発明は、テレビジョン、画面ミュート装置および画面ミュート方法に関する。
【０００２】
【従来の技術】
従来のテレビジョンは、画面ミュートを実行するための構成として、ＣＲＴのカソードとチューナとの間に接続されたクロマＩＣと、このクロマＩＣに接続されたマイコンとを備えている。
マイコンには、画面ミュート時に受信映像をブランキングするためのＯＳＤ信号を生成するＯＳＤ回路が設けられており、クロマＩＣには、チューナにて受信された放送信号に基づく映像信号に同ＯＳＤ信号を重畳させるための重畳回路が設けられている。
また、クロマＩＣにおいて、上記重畳回路と上記ＣＲＴのカソードとの間には、ＲＧＢ出力回路が介在され、このＲＧＢ出力回路は、画面ミュート時、上記ＯＳＤ信号が重畳された映像信号に基づいて同カソードにＲＧＢ信号を出力し、同ＣＲＴに黒表示を出力させている。
【０００３】
【発明が解決しようとする課題】
上述した従来のテレビジョンにおいては、ＣＲＴに出力される黒表示が真っ黒にならず、若干色付いて見えることがある。これは、上記ＲＧＢ出力回路から出力されるＲＧＢ信号の直流レベルにばらつきがあるためであり、ＩＣの選別を行うことで、このばらつきを軽減させていた。しかし、この手法では、使用できるＩＣを選別するための工程を製造工程に設けなければならず、歩留まりが良くないという課題があった。
【０００４】
なお、従来、特開平５−２６８５３６号公報に開示された画面ミュート装置を備えるテレビジョンが知られている。このテレビジョンでは、信号処理用ＩＣとカソードアンプとの間にスイッチング回路を介在させ、過渡的動作時、同スイッチング回路を利用して画面ミュートを行っている。このため、既設の回路構成に新たな回路を付加しなければならず、回路設計の変更などを伴い、容易に画面ミュート機能を追加することができないという課題がある。同様に、ハード構成の変更を必要とする画面ミュート装置として、特開平７−２１２６１７号公報に開示されたものも知られている。
本発明は、上記課題にかんがみてなされたもので、簡易な手法で適切な画面ミュートの実行が可能となり、かつ、量産に好適なテレビジョン、画面ミュート装置および画面ミュート方法の提供を目的とする。
【０００５】
【課題を解決するための手段】
上記目的を達成するため、請求項１にかかる発明は、ＣＲＴに接続され、所定の信号入力に基づいてＲＧＢ信号を同ＣＲＴに出力するＲＧＢ信号出力手段と、選局動作中に受信周波数が所望の放送局に対応する周波数に一致するまでの間、所定の映像信号にＯＳＤ信号を重畳させて同ＲＧＢ信号出力手段に出力するＯＳＤ信号重畳手段とを有するクロマＩＣと、上記クロマＩＣに接続され、上記ＲＧＢ信号に基づいて上記ＣＲＴに選局動作中に映し出される乱れた映像をブランキングして画面ミュートを実行するためのＯＳＤ信号を生成するＯＳＤ信号生成手段を有するマイコンとを備えた画面ミュート装置を具備するテレビジョンにおいて、上記マイコンは、上記画面ミュートを実行させる旨のファストブランキング信号を上記ＯＳＤ信号重畳手段に出力して上記ＯＳＤ信号生成手段にて生成されたＯＳＤ信号を上記映像信号に重畳させるとき、上記ＲＧＢ信号出力手段にＲＧＢ出力のカットオフレベルを通常値よりも下げさせる旨のカットオフ制御信号を出力する出力レベル制御手段を備え、上記ＲＧＢ信号出力手段は、上記カットオフ制御信号が入力されるとき、上記ＲＧＢ信号出力手段から上記ＣＲＴに出力するＲＧＢ信号の直流レベルを通常値よりも下げ、ミュート画面におけるホワイトバランスのばらつきを軽減させる構成としてある。
【０００６】
すなわち、当該テレビジョンにおいては、平常時、クロマＩＣに設けられたＲＧＢ信号出力手段が所定の映像信号に基づいてＲＧＢ信号をＣＲＴに出力する。このため、同ＣＲＴの画面には、同映像信号に対応する映像が出力される。一方、選局動作中に受信周波数が所望の放送局に対応する周波数に一致するまでの間に実行される画面ミュート時には、上記クロマＩＣに接続されるマイコンに設けられたＯＳＤ信号生成手段が上記ＣＲＴにおける選局動作中に映し出される乱れた映像をブランキングするためのＯＳＤ信号を生成する。また、上記マイコンが画面ミュートを実行させる旨のファストブランキング信号を上記クロマＩＣに設けられたＯＳＤ信号重畳手段に出力する。すると、上記ＯＳＤ信号重畳手段は、上記生成されたＯＳＤ信号を上記映像信号に重畳させて上記ＲＧＢ信号出力手段に供給するため、同ＲＧＢ信号出力手段は、同ＯＳＤ信号が重畳された映像信号に基づくＲＧＢ信号を上記ＣＲＴに出力し、同ＣＲＴにミュート画面としての黒表示を出力させる。
【０００７】
このとき、上記マイコンに設けられた出力レベル制御手段が上記ＲＧＢ信号出力手段にＲＧＢ出力のカットオフレベルを通常値よりも下げさせる旨のカットオフ制御信号を出力する。すると、上記ＲＧＢ信号出力手段は、上記ＣＲＴに出力するＲＧＢ信号の直流レベルを通常値よりも下げ、ミュート画面におけるホワイトバランスのばらつきを軽減させる。
従って、上記ＲＧＢ信号の出力レベルが色成分ごとにばらついていても、上記ＣＲＴに出力される黒表示の色付きを軽減することができる。
また、上述した画面ミュート制御は、クロマＩＣとマイコンとにより実行されており、ミュート画面におけるホワイトバランスのばらつきを軽減させるためにハード構成を変更する必要がないことから、容易に実現可能な点においても有用である。
【０００８】
上記請求項１では、テレビジョンに備えられた具体的な構成を有する画面ミュート装置について説明したが、ミュート画面におけるホワイトバランスのばらつきを容易に軽減させることができれば良いとの観点から、さらに広い意味合いで本発明にかかる画面ミュート装置を捉えることも可能である。その一例として、請求項２にかかる発明は、映像出力機器に接続され、所定の信号入力に基づいてＲＧＢ信号を映像出力機器に出力するＲＧＢ信号出力手段と、同映像出力機器に乱れた映像が映し出される間、所定の映像信号にＯＳＤ信号を重畳させて同ＲＧＢ信号出力手段に出力するＯＳＤ信号重畳手段とを有するクロマＩＣと、上記クロマＩＣに接続され、上記ＲＧＢ信号に基づいて上記映像出力機器の画面に映し出される乱れた映像をブランキングして画面ミュートを実行するためのＯＳＤ信号を生成するＯＳＤ信号生成手段を有するマイコンとを備える画面ミュート装置において、上記マイコンは、上記ＯＳＤ信号重畳手段が上記ＯＳＤ信号生成手段にて生成されたＯＳＤ信号を上記映像信号に重畳させて上記ＲＧＢ信号出力手段に出力するとき、同ＲＧＢ信号出力手段から上記映像出力機器に出力されるＲＧＢ信号の出力レベルを通常値より下げさせる出力レベル制御手段を備える構成としてある。
【０００９】
すなわち、平常時には、クロマＩＣに設けられたＲＧＢ信号出力手段が所定の映像信号に基づいてＲＧＢ信号を映像出力機器に出力する。このため、同映像出力機器の画面には、同映像信号に対応する映像が出力される。一方、同映像出力機器に乱れた映像が映し出される間に実行される画面ミュート時には、上記クロマＩＣに接続されるマイコンに設けられたＯＳＤ信号生成手段が上記映像出力機器にて映し出される乱れた映像をブランキングするためのＯＳＤ信号を生成する。すると、上記クロマＩＣに設けられたＯＳＤ信号重畳手段は、上記ＯＳＤ信号生成手段にて生成されたＯＳＤ信号を上記映像信号に重畳させて上記ＲＧＢ信号出力手段に供給する。このため、同ＲＧＢ信号出力手段は、同ＯＳＤ信号が重畳された映像信号に基づくＲＧＢ信号を上記映像出力機器に出力し、同映像出力機器にミュート画面としての黒表示を出力させる。
【００１０】
このとき、上記マイコンに設けられた出力レベル制御手段は、上記ＲＧＢ信号出力手段から上記映像出力機器に出力されるＲＧＢ信号の出力レベルを通常値よりも下げ、ミュート画面におけるホワイトバランスのばらつきを軽減させる。従って、上記ＲＧＢ信号の出力レベルが色成分ごとにばらついていても、上記映像出力機器に出力される黒表示の色付きを軽減することができる。上述した画面ミュート制御を実行させるためにハード構成を変更する必要がないことから、容易に実現可能な点においても有用である。なお、上記映像出力機器は、上記ＲＧＢ信号出力手段から出力されるＲＧＢ信号に基づいて映像出力を行うことができれば良いとの観点から、ＣＲＴ、液晶ディスプレイおよびプラズマディスプレイなど、映像出力を行う際の手法を限定するものではない。
【００１１】
上述したように上記ＲＧＢ信号の出力レベルを下げるための手法の一例として、請求項３にかかる発明は、上記請求項２に記載の画面ミュート装置において、上記出力レベル制御手段は、上記ＲＧＢ信号出力手段にＲＧＢ出力のカットオフレベルを通常値より下げさせる旨のカットオフ制御信号を出力し、同ＲＧＢ信号出力手段は、同カットオフ制御信号が入力されるとき、上記ＲＧＢ信号の出力レベルを下げる構成としてある。
すなわち、画面ミュートが実行される際、上記出力レベル制御手段は、上記ＲＧＢ信号出力手段にＲＧＢ出力のカットオフレベルを通常値より下げさせる旨のカットオフ制御信号を出力する。すると、同ＲＧＢ信号出力手段は、上記ＲＧＢ信号の出力レベルを下げる。
なお、ここにいうカットオフレベルは、上記映像出力機器におけるホワイトバランスを調整する際に使用されるＲＧＢ信号の出力レベルであるため、既存の画質調整機能を利用して本発明を容易に実現させることが可能となる。
【００１２】
また、上記ＲＧＢ信号の出力レベルを下げるための手法の別の一例として、請求項４にかかる発明は、上記請求項２または請求項３のいずれかに記載の画面ミュート装置において、上記出力レベル制御手段は、上記ＲＧＢ信号出力手段にＲＧＢ出力の輝度レベルを通常値より下げさせる旨の輝度レベル制御信号を出力し、同ＲＧＢ信号出力手段は、同輝度レベル制御信号が入力されるとき、上記ＲＧＢ信号の出力レベルを下げる構成としてある。
すなわち、画面ミュートが実行される際、上記出力レベル制御手段は、上記ＲＧＢ信号出力手段にＲＧＢ出力の輝度レベルを通常値より下げさせる旨の輝度レベル制御信号を出力する。すると、同ＲＧＢ信号出力手段は、上記ＲＧＢ信号の出力レベルを下げる。
従って、上記請求項３と同様に、既存の画質調整機能を利用して本発明を容易に実現させることが可能となる。また、上記輝度レベルは、画質調整時に各色成分の出力レベルを一括して増減するものであるため、この輝度レベルの調整機能を利用することにより、上記クロマＩＣにおける制御負荷を低減させることができる点においても有用である。
【００１３】
上記画面ミュートを行うための具体的な手法の一例として、請求項５にかかる発明は、上記請求項２〜請求項４のいずれかに記載の画面ミュート装置において、上記マイコンは、上記画面ミュートを実行させる旨のファストブランキング信号を上記ＯＳＤ信号重畳手段に出力し、同ＯＳＤ信号重畳手段は、同ファストブランキング信号が入力されるとき、上記ＯＳＤ信号生成手段にて生成されたＯＳＤ信号を上記映像信号に重畳させる構成としてある。
すなわち、画面ミュートを実行する際、上記マイコンは、上記画面ミュートを実行させる旨のファストブランキング信号を上記ＯＳＤ信号重畳手段に出力する。すると、同ＯＳＤ信号重畳手段は、上記ＯＳＤ信号生成手段にて生成されたＯＳＤ信号を上記映像信号に重畳させる。従って、上記ファストブランキング信号が上記ＯＳＤ信号重畳手段に入力される間、上述した画面ミュートが継続される。このような信号送信の制御を行うだけで画面ミュートの実行期間を設定できる点で、当該請求項５は有用なものとなる。
【００１４】
ところで、以上のような画面ミュート時の制御手法は、実体のある装置構成としてだけでなく、方法としても実現可能である。その一例として、請求項６にかかる発明は、平常時、クロマＩＣにて所定の映像信号に基づくＲＧＢ信号を映像出力機器に出力することにより、同映像出力機器の画面に同映像信号に対応する映像を出力させ、同映像出力機器に乱れた映像が映し出される間に実行される画面ミュート時、同クロマＩＣに接続されたマイコンにて同映像出力機器に映し出される乱れた映像をブランキングするためのＯＳＤ信号を生成し、同クロマＩＣにて同ＯＳＤ信号を同映像信号に重畳させ、このＯＳＤ信号が重畳された映像信号に基づくＲＧＢ信号を同映像出力機器に出力する画面ミュート方法において、上記マイコンは、上記画面ミュート時、上記映像出力機器に出力されるＲＧＢ信号の出力レベルを通常値よりも下げさせる構成としてある。すなわち、上記装置としての構成は、方法としても実現することが可能である。
なお、上記請求項３〜請求項５にかかる構成についても同様に方法として適用可能であることは言うまでもない。
【００１５】
【発明の効果】
以上説明したように本発明は、簡易な手法で適切な画面ミュートの実行が可能となり、かつ、量産に好適なテレビジョンを提供することができる。
また、請求項２にかかる発明によれば、簡易な手法で適切な画面ミュートの実行が可能となり、かつ、量産に好適な画面ミュート装置を提供することができる。
さらに、請求項３〜請求項５にかかる発明によれば、簡易な手法で黒表示の色付きを軽減させることができる。
さらに、請求項６にかかる発明によれば、簡易な手法で適切な画面ミュートの実行が可能となり、かつ、量産に好適な画面ミュート方法を提供することができる。
【００１６】
【発明の実施の形態】
ここでは、下記の順序に従って本発明の実施形態を説明する。
（１）テレビジョン装置の構成説明：
（２）クロマＩＣにおける信号処理の説明：
（３）画面ミュートの説明：
（４）まとめ：
【００１７】
（１）テレビジョン装置の構成説明：
図１は、本発明の一実施形態にかかるテレビジョンの概略構成をブロック図により示している。なお、本実施形態では、映像信号の説明に重点をおき、音声信号についての記述を省略する。
同図において、チューナ１０は、アンテナ１１を介してテレビ放送帯域に対応した所望周波数のテレビジョン信号を受信するとともに、この受信したテレビジョン信号から所要の信号だけを選択して高周波増幅し、中間周波信号に変換して出力する。
【００１８】
チューナ１０から出力された中間周波信号がクロマＩＣ２０に入力されると、クロマＩＣ２０は、入力された中間周波信号に各種の信号処理を施すことで合成映像信号を復元し、映像信号などを抽出する。すると、ＣＲＴ３０には、この抽出された映像信号がカソードアンプ３１を介して供給される。
ここで、チューナ１０およびクロマＩＣ２０には、マイコン４０が接続されており、このマイコン４０は、各デバイスに制御指示を与え、装置全体の制御を行っている。
【００１９】
（２）クロマＩＣにおける信号処理の説明：
クロマＩＣ２０では、図２に示すように、中間周波信号に基づいて復元した合成映像信号が映像増幅回路２１に入力されると、映像増幅回路２１は、入力された合成映像信号から映像信号と同期信号とを抽出する。すると、この抽出された映像信号は、ＯＳＤ信号重畳回路２２に供給され、同期信号は、水平成分と垂直成分とに分離されてそれぞれ水平偏向回路２３と垂直偏向回路２４とに供給される。
【００２０】
ＯＳＤ信号重畳回路２２には、ＲＧＢ信号出力回路２５が接続されており、ＲＧＢ信号出力回路２５は、ＯＳＤ信号重畳回路２２から出力される映像信号に基づき、ＲＧＢの各色成分を復元してカソードアンプ３１に出力する。このため、ＣＲＴ３０では、カソードアンプ３１にて増幅されたＲＧＢ信号がカソード側に供給されると、電子銃がＲＧＢ信号に基づいて各色成分に対応した電子ビームを照射する。
一方、水平偏向回路２３および垂直偏向回路２４には、ＣＲＴ３０のアノード側が接続されており、各同期信号に基づいて上記電子ビームを水平／垂直方向へ偏向させる。従って、ＣＲＴ３０の画面上には、合成映像信号に基づいて受信映像が出力される。
【００２１】
（３）画面ミュートの説明：
ここで、ＯＳＤ信号重畳回路２２には、上述した合成映像信号に基づく映像信号以外に、マイコン４０に備えられたＯＳＤ信号生成回路４１にて生成された黒表示用のＯＳＤファーストブランキング信号も入力可能となっている。ＯＳＤ信号重畳回路２２は、マイコン４０からファーストブランキング信号（ＦＢ信号）が入力されると、ＯＳＤファーストブランキング信号を上記合成映像信号に基づく映像信号に重畳させてＲＧＢ信号出力回路２５に供給する。このため、ＣＲＴ３０の画面上には、受信映像の代わりに黒表示が出力されてミュート画面となる。
【００２２】
例えば、チューナ１０により所望の放送局を選局する際、この放送局に対応する周波数に受信周波数を一致させるまでの間は、チューナ１０にてテレビジョン信号が受信されないため、ＣＲＴ３０に乱れた映像が映し出されることになる。このため、選局動作中、マイコン４０は、クロマＩＣ２０に対してＦＢ信号を出力することにより、ＯＳＤ信号重畳回路２２にＯＳＤファーストブランキング信号の重畳を行わせて画面ミュートを実行する。
以上のように画面ミュートを実行するにあたり、ＯＳＤファーストブランキング信号に基づくＲＧＢ信号の出力レベルが各色成分ごとにばらつき、黒表示が赤っぽくなったり、青っぽくなったり、あるいは、緑っぽくなることがある。
そこで、本実施形態では、画面ミュート時にＲＧＢ信号出力回路２５から出力されるＲＧＢ信号の出力レベルを通常値よりも下げ、出力レベルのばらつきによる黒表示の色付きを軽減させている。図３は、画面ミュート時における動作手順の一例をフローチャートにより示している。
【００２３】
同図に示すように、マイコン４０は、チューナ１０に選局動作指示を与えた際、ＯＳＤ信号重畳回路２２に対して黒表示に対応するＯＳＤファーストブランキング信号を出力するとともに、クロマＩＣ２０に対して、ＦＢ信号と、ＲＧＢ信号の出力レベルを通常値よりも下げさせる旨のカットオフ制御信号とを出力する（ステップＳ１００，Ｓ１１０）。
すると、クロマＩＣ２０では、ＦＢ信号に基づいてＯＳＤ信号重畳回路２２が映像信号にＯＳＤファーストブランキング信号の重畳を行うため、ＯＳＤファーストブランキング信号が重畳された映像信号がＲＧＢ信号出力回路２５に入力される。ここで、ＲＧＢ信号出力回路２５は、図４に示すように、ＤＣレベルを通常値よりも下げつつ、入力された映像信号に基づいてＲＧＢ信号をカソードアンプ３１に出力する（ステップＳ１２０〜Ｓ１４０）。
【００２４】
従って、カソードアンプ３１にて増幅されたＲＧＢ信号がＣＲＴ３０に供給された際、各色成分の出力レベルにばらつきがあっても、ＣＲＴ３０の画面上におけるホワイトバランスのずれが軽減される。
ここにいうカットオフ制御信号は、メニューモードなどでホワイトバランスを調整する際にマイコン４０からクロマＩＣ２０に出力される制御信号である。通常は、メニューモードにてキー操作が行われると、マイコン４０がクロマＩＣ２０にカットオフ制御信号を出力し、クロマＩＣ２０のＲＧＢ信号出力回路２５がＲＧＢの各色成分ごとに出力レベルを調整する。このため、当該画面ミュート動作では、この既存の制御信号を利用することで黒表示の色付きを軽減させている。
【００２５】
なお、マイコン４０は、チューナ１０にて所望周波数のテレビジョン信号が受信されて選局動作が終了したことを検出すると、ＯＳＤファーストブランキング信号、ＦＢ信号およびカットオフ制御信号の出力を終了する。このため、クロマＩＣ２０では、ＯＳＤ信号重畳回路２２がＯＳＤファーストブランキング信号の重畳を終了して合成映像信号に基づく映像信号のみをＲＧＢ信号出力回路２５に出力し、ＲＧＢ信号出力回路２５が同映像信号に基づくＲＧＢ信号を出力する。従って、ＣＲＴ３０の画面上には、選局動作中の乱れた映像が出力されず、受信映像のみが出力されることとなる。
【００２６】
また、図５に示すような別の手法を用いることにより、画面ミュート時にＲＧＢ信号出力回路２５から出力されるＲＧＢ信号の出力レベルを下げることも可能である。
すなわち、マイコン４０は、チューナ１０に選局動作指示を与えた際、ＯＳＤ信号重畳回路２２に対して黒表示に対応するＯＳＤファーストブランキング信号を出力するとともに、クロマＩＣ２０に対して、ＦＢ信号と、輝度レベルを通常値よりも下げさせる旨の輝度レベル制御信号とを出力する（ステップＳ２００，Ｓ２１０）。
【００２７】
すると、上述した図３の場合と同様に、ＲＧＢ信号のＤＣレベルが通常値よりも下げられるため、画面ミュート時、ＣＲＴ３０の画面上におけるホワイトバランスのずれが軽減される（ステップＳ２２０〜Ｓ２４０）。
なお、ここにいう輝度レベル制御信号は、メニューモードなどで輝度レベルを調整する際にマイコン４０からクロマＩＣ２０に出力される制御信号である。通常は、メニューモードにてキー操作が行われると、マイコン４０がクロマＩＣ２０に輝度レベル制御信号を出力し、クロマＩＣ２０のＲＧＢ信号出力回路２５がＲＧＢ信号の出力レベルを一括調整する。
従って、輝度レベルを調節してＲＧＢ信号の出力レベルを下げる場合には、各色成分ごとに出力レベルを調整する必要がないため、クロマＩＣ２０における制御効率を向上させて動作時の負荷を低減させることができる点で有用となる。
【００２８】
（４）まとめ：
このように、画面ミュート時、マイコン４０がクロマＩＣ２０に出力レベルを通常値よりも下げる旨のカットオフ制御信号を出力するため、クロマＩＣ２０では、ＲＧＢ信号出力回路２５がＲＧＢ信号の出力レベルを通常値よりも下げる。従って、各色成分の出力レベルにばらつきがあっても、ＣＲＴ３０における黒表示の色付きを低減させることが可能となる。また、以上の動作制御は、ハード構成の変更を行わずに実現できるため、特に、量産時に好適である。
【図面の簡単な説明】
【図１】本実施形態にかかるテレビジョンの概略構成を示すブロック図である。
【図２】クロマＩＣの主要構成を説明するためのブロック図である。
【図３】画面ミュート時における動作手順の一例を示すフローチャートである。
【図４】画面ミュート時における出力レベルの変化を示す信号波形図である。
【図５】画面ミュート時における動作手順の別の一例を示すフローチャートである。
【符号の説明】
１０…チューナ
１１…アンテナ
２０…クロマＩＣ
２１…映像増幅回路
２２…ＯＳＤ信号重畳回路
２３…水平偏向回路
２４…垂直偏向回路
２５…ＲＧＢ信号出力回路
３０…ＣＲＴ
３１…カソードアンプ
４０…マイコン
４１…ＯＳＤ信号生成回路
【図１】
0003606321.tif 000002
【図２】
0003606321.tif 000003
【図３】
0003606321.tif 000004
【図４】
0003606321.tif 000005
【図５】
0003606321.tif 000006